【手続補正書】
【提出日】平成18年12月7日(2006.12.7)
【手続補正１】
【補正対象書類名】明細書
【補正対象項目名】発明の名称
【補正方法】変更
【補正の内容】
【発明の名称】情報処理方法及び装置、及びプリンタ
【手続補正２】
【補正対象書類名】明細書
【補正対象項目名】特許請求の範囲
【補正方法】変更
【補正の内容】
【特許請求の範囲】
【請求項１】
低浸透性黒インク及び前記低浸透性黒インクよりも浸透性の高い高浸透性黒インクを用いて画像をプリントするプリンタに入力されるプリントデータを生成するための情報処理方法であって、
画像を構成する画素のマルチレベル値に応じて、該画素における前記低浸透性黒インクの量及び前記高浸透性黒インクの量を決定する決定工程と、
該決定した低浸透性黒インクの量及び高浸透性黒インクの量に基づいて前記画素をプリントするためのプリントデータを生成する生成工程と
を有することを特徴とする情報処理方法。
【請求項２】
前記低浸透性黒インクは顔料を含有するインクであり、前記高浸透性黒インクは染料を含有するインクであることを特徴とする請求項１に記載の情報処理方法。
【請求項３】
前記決定工程では、前記画素のマルチレベル値に応じて、前記低浸透性黒インクの量及び前記高浸透性黒インクの量に加えて、黒以外の色のインクの量を更に決定し、
前記生成工程では、該決定した黒以外の色のインクの量を更に用いて前記画素をプリントするためのプリントデータを生成することを特徴とする請求項１または２に記載の情報処理方法。
【請求項４】
前記黒以外の色のインクは、黄色インク、マゼンタインク、シアンインクの少なくとも１つを含むことを特徴とする請求項３に記載の情報処理方法。
【請求項５】
前記決定工程では、前記画素のマルチレベル値に対応する高浸透性黒インクの量及び低浸透性黒インクの量を示すテーブルに基づいて、前記インクの量を決定することを特徴とする請求項１乃至４のいずれか１項に記載の情報処理方法。
【請求項６】
前記プリンタにおいて、前記低浸透性黒インク及び前記低浸透性黒インクよりもインク滴が小さい前記高浸透性黒インクを用いて画像をプリントすることを特徴とする請求項１乃至５のいずれか１項に記載の情報処理方法。
【請求項７】
顔料を含有する顔料黒インク及び染料を含有する染料黒インクを用いて画像をプリントするプリンタに入力されるプリントデータを生成するための情報処理方法であって、
画像を構成する画素のマルチレベル値に応じて、該画素における前記顔料黒インクの量及び前記染料黒インクの量を決定する決定工程と、
該決定した顔料黒インクの量及び染料黒インクの量に基づいて前記画素をプリントするためのプリントデータを生成する生成工程と
を有することを特徴とする情報処理方法。
【請求項８】
低浸透性黒インク及び前記低浸透性黒インクよりも浸透性の高い高浸透性黒インクを用いて画像をプリントするプリンタに入力されるプリントデータを生成するための情報処理装置であって、
画像を構成する画素のマルチレベル値に応じて、該画素における前記低浸透性黒インクの量及び前記高浸透性黒インクの量を決定する決定手段と、
該決定した低浸透性黒インクの量及び高浸透性黒インクの量に基づいて前記画素をプリントするためのプリントデータを生成する生成手段と
を有することを特徴とする情報処理装置。
【請求項９】
前記低浸透性黒インクは顔料を含有するインクであり、前記高浸透性黒インクは染料を含有するインクであることを特徴とする請求項８に記載の情報処理装置。
【請求項１０】
前記決定手段は、前記画素のマルチレベル値に応じて、前記低浸透性黒インクの量及び前記高浸透性黒インクの量に加えて、黒以外の色のインクの量を決定し、
前記生成手段は、該決定した黒以外の色のインクの量を更に用いて画素をプリントするためのプリントデータを生成することを特徴とする請求項８または９に記載の情報処理装置。
【請求項１１】
前記黒以外の色のインクは、黄色インク、マゼンタインク、シアンインクの少なくとも１つを含むことを特徴とする請求項１０に記載の情報処理装置。
【請求項１２】
前記決定手段は、前記画素のマルチレベル値に対応する高浸透性黒インクの量及び低浸透性黒インクの量を示すテーブルに基づいて、前記インクの量を決定することを特徴とする請求項８乃至１１のいずれか１項に記載の情報処理装置。
【請求項１３】
前記プリンタにおいて、前記低浸透性黒インク及び前記低浸透性黒インクよりもインク滴が小さい前記高浸透性黒インクを用いて画像をプリントすることを特徴とする請求項８乃至１２のいずれか１項に記載の情報処理装置。
【請求項１４】
低浸透性黒インク及び前記低浸透性黒インクよりも浸透性の高い高浸透性黒インクを用いて、プリントデータに基づいて画像をプリントするプリンタであって、
画像を構成する画素のマルチレベル値に応じて決定された、前記画素における前記低浸透性黒インクの量及び前記高浸透性黒インクの量を規定するプリントデータに基づいて画像をプリントするプリンタ。
【手続補正３】
【補正対象書類名】明細書
【補正対象項目名】０００５
【補正方法】変更
【補正の内容】
【０００５】
【課題を解決するための手段】
上記目的を達成するために、低浸透性黒インク及び前記低浸透性黒インクよりも浸透性の高い高浸透性黒インクを用いて画像をプリントするプリンタに入力されるプリントデータを生成するための本発明の情報処理方法は、画像を構成する画素のマルチレベル値に応じて、該画素における前記低浸透性黒インクの量及び前記高浸透性黒インクの量を決定する決定工程と、該決定した低浸透性黒インクの量及び高浸透性黒インクの量に基づいて前記画素をプリントするためのプリントデータを生成する生成工程とを有する。
【手続補正４】
【補正対象書類名】明細書
【補正対象項目名】０００６
【補正方法】変更
【補正の内容】
【０００６】
また、低浸透性黒インク及び前記低浸透性黒インクよりも浸透性の高い高浸透性黒インクを用いて画像をプリントするプリンタに入力されるプリントデータを生成するための本発明の情報処理装置は、画像を構成する画素のマルチレベル値に応じて、該画素における前記低浸透性黒インクの量及び前記高浸透性黒インクの量を決定する決定手段と、該決定した低浸透性黒インクの量及び高浸透性黒インクの量に基づいて前記画素をプリントするためのプリントデータを生成する生成手段とを有する。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の好適な一態様によれば、前記高浸透性黒インクは染料を含有するインクであり、前記低浸透性黒インクは顔料を含有するインクである。
【手続補正７】
【補正対象書類名】明細書
【補正対象項目名】０００９
【補正方法】変更
【補正の内容】
【０００９】
また、本発明の好適な一態様によれば、前記決定工程及び決定手段は、前記画素のマルチレベル値に応じて、前記低浸透性黒インクの量及び前記高浸透性黒インクの量に加えて、黒以外の色のインクの量を決定し、前記生成工程及び生成手段は、該決定した黒以外の色のインクの量を更に用いて画素をプリントするためのプリントデータを生成する。
【手続補正８】
【補正対象書類名】明細書
【補正対象項目名】００１０
【補正方法】変更
【補正の内容】
【００１０】
本発明の好適な一態様によれば、上記黒以外の色のインクは、黄色インク、マゼンタインク、シアンインクの少なくとも１つを含む。
【手続補正９】
【補正対象書類名】明細書
【補正対象項目名】００１１
【補正方法】変更
【補正の内容】
【００１１】
また、本発明の好適な一態様によれば、前記画素のマルチレベル値に対応する高浸透性黒インクの量及び低浸透性黒インクの量は、前記画素のマルチレベル値に対応する高浸透性黒インクの量及び低浸透性黒インクの量を示すテーブルに基づいて決定される。
【手続補正１０】
【補正対象書類名】明細書
【補正対象項目名】００１２
【補正方法】変更
【補正の内容】
【００１２】
また、本発明の好適な一態様によれば、前記プリンタにおいて、前記低浸透性黒インク及び前記低浸透性黒インクよりもインク滴が小さい前記高浸透性黒インクを用いて画像をプリントする。
さらに、低浸透性黒インク及び前記低浸透性黒インクよりも浸透性の高い高浸透性黒インクを用いて、プリントデータに基づいて画像をプリントする本発明のプリンタは、画像を構成する画素のマルチレベル値に応じて決定された、前記画素における前記低浸透性黒インクの量及び前記高浸透性黒インクの量を規定するプリントデータに基づいて画像をプリントする。
また、本発明の別の構成によれば、顔料を含有する顔料黒インク及び染料を含有する染料黒インクを用いて画像をプリントするプリンタに入力されるプリントデータを生成するための情報処理方法であって、画像を構成する画素のマルチレベル値に応じて、該画素における前記顔料黒インクの量及び前記染料黒インクの量を決定する決定工程と、該決定した顔料黒インクの量及び染料黒インクの量に基づいて前記画素をプリントするためのプリントデータを生成する生成工程とを有する。